(57)【特許請求の範囲】
【請求項１】
光源から射出された測定光を反射する反射機構を備えるターゲットを保持し、前記ターゲットと測定対象物の端面とを接触させるターゲット保持冶具であって、
前記測定対象物と接触させた状態で前記ターゲットを支持する支持部と、
前記支持部の前記測定対象物と対向する側に配置され、前記測定対象物の端面の短辺方向において前記ターゲットが前記測定対象物に接触する位置を規制し、かつ、前記ターゲットの前記測定対象物の端面の短辺方向への移動を規制するガイド部と、
前記支持部に固定され、前記測定対象物に着脱可能に連結する連結部と、を備えることを特徴とするターゲット保持冶具。
【請求項２】
前記連結部は、前記測定対象物を挟持することで、前記測定対象物に連結することを特徴とする請求項１に記載のターゲット保持冶具。
【請求項３】
前記ターゲットと前記測定対象物とが接触していることを検出する検出部と、
前記検出部が前記ターゲットと前記測定対象物との接触を検出したことを報知する報知部と、をさらに備えることを特徴とする請求項１または請求項２に記載のターゲット保持冶具。
【請求項４】
前記検出部は、前記ターゲット及び前記連結部と接続された電源を有し、前記ターゲットと前記連結部と前記電源と前記報知部とが直列で接続され、
前記ターゲット及び前記連結部が前記測定対象物と接触すると、前記ターゲットと前記連結部と前記電源と前記報知部と前記測定対象物とが閉じられた回路となることを特徴とする請求項３に記載のターゲット保持冶具。
【請求項５】
前記支持部と前記連結部との間に配置され、前記支持部と前記連結部とを絶縁する絶縁部をさらに有することを特徴とする請求項４に記載のターゲット保持冶具。
【請求項６】
前記報知部は、発光する発光部であることを特徴とする請求項３から請求項５のいずれか一項に記載のターゲット保持冶具。
【請求項７】
請求項１から請求項６のいずれか一項に記載のターゲット保持冶具と、
前記ターゲット保持冶具に保持されたターゲットと、
前記ターゲットに測定光を照射する光源と前記ターゲットで反射された測定光を受光する受光部と前記受光部で受光した結果を解析する処理部とを備える測定装置本体と、を有することを特徴とする測定装置。
【発明の詳細な説明】
【技術分野】
【０００１】
本発明は、測定対象物と接触する球状のターゲットを保持するターゲット保持冶具及び測定装置に関する。
【背景技術】
【０００２】
測定対象物までの距離を測定する測定装置には、測定光を用いて測定を行う装置がある。例えば、特許文献１には、放射光ビーム（測定光）を出力する光源と、測定光を反射する外部再帰反射器を備えるターゲットと、光源と一体で固定されターゲットから反射された光を受光する受光部と、受光部で受光した光を解析してターゲットまでの距離を算出する信号処理装置と、を有する絶対距離計が記載されている。絶対距離計は、ターゲットを測定対象物に接触させた状態で、光源からターゲットに測定光を照射し、ターゲットで反射された光を受光部で受光し、受光した光を解析し、ターゲットまでの距離を算出することで、ターゲットが接触している測定対象物までの距離を測定することができる。
【０００３】
特許文献２には、筒体や柱体等の棒状ワーク（パイプ）の曲がり角度を測定するのに用いられる球状のリフレクタ（ターゲット）を保持する冶具として、球状のリフレクタをスライド可能に保持する外向き溝が形成され一対の半円形冶具構成体を備え、当該一対の半円形冶具構成体を互いに合体してパイプの外周に嵌合装着される冶具が記載されている。特許文献２には、この冶具に沿ってターゲットを移動させることで、棒状ワークの曲がり角度を簡単に測定することができるのに加えて、棒状ワークの測定部位毎の曲がり角度を記録に残すことが可能になるとしている。
【先行技術文献】
【特許文献】
【０００４】
【特許文献１】特開２０１１−３９０５２号公報
【特許文献２】特開２０１２−１３７３８２号公報
【発明の概要】
【発明が解決しようとする課題】
【０００５】
特許文献１に記載されているような装置を用いて、測定対象物までの距離を測定する場合、ターゲットが測定対象物に接触していないと、測定対象物との距離や測定部位の曲がり角度を正確に測定することができない。
【０００６】
ここで、蒸気タービンのシールフィン等の板状部材が測定対象物となる場合がある。シールフィン等の板状部材の端面を測定する場合では、筒体や柱体等の棒状ワークとは異なり、測定対象物が細くなる。ターゲットが球形であるため、ターゲットを測定対象物に接触させた時や、測定対象物に沿って移動させた時、ターゲットの接触位置が測定対象物の厚み方向（板厚方向）にずれ易くなる。このように、ターゲットの接触位置がずれてしまうと、板状の測定対象物が球状のターゲットの中心に向かう法線からずれた向きで接触することになり、測定誤差が生じる。
【０００７】
本発明は、上述した課題を解決するものであり、高い精度でターゲットを測定対象物に接触させることができるターゲット保持冶具及び測定装置を提供することを目的とする。
【課題を解決するための手段】
【０００８】
上記の目的を達成するための本発明のターゲット保持冶具は、光源から射出された測定光を反射する反射機構を備えるターゲットを保持し、前記ターゲットと測定対象物の端面とを接触させるターゲット保持冶具であって、前記測定対象物と接触させた状態で前記ターゲットを支持する支持部と、前記支持部の前記測定対象物と対向する側に配置され、前記測定対象物の端面の短辺方向において前記ターゲットが前記測定対象物に接触する位置を規制し、かつ、前記ターゲットの前記測定対象物の端面の短辺方向への移動を規制するガイド部と、前記支持部に固定され、前記測定対象物に着脱可能に連結する連結部と、を備えることを特徴とする。
【０００９】
従って、連結部が測定対象物と連結し、かつガイド部でターゲットと測定対象物との相対位置を規制することで、高い精度でターゲットを測定対象物に接触させることができる。また、連結部が着脱可能な状態で、測定対象物に連結することで、１つのターゲット保持冶具及びターゲットを複数点の測定に用いることができる。
【００１０】
本発明のターゲット保持冶具では、前記連結部は、前記測定対象物を挟持することで、前記測定対象物に連結することを特徴としている。
【００１１】
従って、測定対象物を挟持して、測定対象物と連結することで、簡単に着脱することができる。
【００１２】
本発明のターゲット保持冶具では、前記ターゲットと前記測定対象物とが接触していることを検出する検出部と、前記検出部が前記ターゲットと前記測定対象物との接触を検出したことを報知する報知部と、をさらに備えることを特徴としている。
【００１３】
従って、測定対象物にターゲットをより確実に接触させることができ、測定精度をより高くすることができる。
【００１４】
本発明のターゲット保持冶具では、前記検出部は、前記ターゲット及び前記連結部と接続された電源を有し、前記ターゲットと前記連結部と前記電源と前記報知部とが直列で接続され、前記ターゲット及び前記連結部が前記測定対象物と接触すると、前記ターゲットと前記連結部と前記電源と前記報知部と前記測定対象物とが閉じられた回路となり、前記報知部に電気が流れることを特徴としている。
【００１５】
従って、測定対象物にターゲット保持冶具を連結させるために連結部を接触させつつ位置調整するのみで、ターゲットが測定対象物に接触した状態になったか否かを知ることができる。
【００１６】
本発明のターゲット保持冶具では、前記支持部と前記連結部との間に配置され、前記支持部と前記連結部とを絶縁する絶縁部をさらに有することを特徴としている。
【００１７】
従って、これにより、連結部とターゲットとが、回路以外の部分で電気的に繋がることを抑制できる。
【００１８】
本発明のターゲット保持冶具では、前記報知部は、発光する発光部であることを特徴としている。
【００１９】
従って、ターゲットと測定対象物とが接触したかを視覚でわかりやすく知ることができる。
【００２０】
本発明の測定装置は、上記のいずれかに記載のターゲット保持冶具と、前記ターゲット保持冶具に保持されたターゲットと、前記ターゲットに測定光を照射する光源と前記ターゲットで反射された光を受光する受光部と前記受光部で受光した結果を解析する処理部とを備える測定装置本体と、を有することを特徴とする。
【００２１】
従って、ターゲットと測定対象物とを高い精度で接触できるため、つまり位置ずれを抑制できるため、高い精度で測定対象物までの距離を測定することができる。
【発明の効果】
【００２２】
本発明のターゲット保持冶具及び測定装置によれば、蒸気タービンのシールフィン等の板状部材等の測定対象物と連結部が連結し、かつガイド部でターゲットと測定対象物との相対位置を規制することで、高い精度でターゲットを蒸気タービンのシールフィン等の板状部材が測定対象物に接触させることができる。
【図面の簡単な説明】
【００２３】
【図１】図１は、本発明の一実施例に係るターゲット保持冶具の概略構成を示す正面図である。
【図２】図２は、図１に示すターゲット保持冶具の上面図である。
【図３】図３は、図１に示すターゲット保持冶具の底面図である。
【図４】図４は、図１に示すターゲット保持冶具の連結部の概略構成を示す側面図である。
【図５】図５は、図１のＡ−Ａ線から見た概略構成を示す断面図である。
【図６】図６は、図１のＢ−Ｂ線から見た概略構成を示す断面図である。
【図７】図７は、検出部の回路構成を示す模式図である。
【図８】図８は、ターゲット保持冶具を備える測定装置の概略構成を示す模式図である。
【図９】図９は、測定対象物の概略構成を示す斜視図である。
【図１０】図１０は、測定対象物とターゲット保持冶具との測定時の位置関係を示す模式図である。
【発明を実施するための形態】
【００２４】
以下、この発明につき図面を参照しつつ詳細に説明する。なお、この実施例によりこの発明が限定されるものではない。また、下記実施例における構成要素には、当業者が容易に想定できるもの、あるいは実質的に同一のものが含まれる。例えば、以下に説明する実施例では、本発明のターゲット保持冶具及び測定装置を蒸気タービンのリング形状のシールフィンの内周側の端面を測定する場合を例に挙げて説明するが、測定対象物はこれに限定されない。本発明のターゲット保持冶具及び測定装置は、シールフィンを測定対象物とした場合に、より顕著な効果を得ることができるが、シールフィンと同様に薄板状の測定対象物の端面の位置を測定する場合も好適に用いることができる。
【００２５】
図１は、本発明の一実施例に係るターゲット保持冶具の概略構成を示す正面図である。図２は、図１に示すターゲット保持冶具の上面図である。図３は、図１に示すターゲット保持冶具の底面図である。図４は、図１に示すターゲット保持冶具の連結部の概略構成を示す側面図である。図５は、図１のＡ−Ａ線から見た概略構成を示す断面図である。図６は、図１のＢ−Ｂ線から見た概略構成を示す断面図である。図７は、検出部の回路構成を示す模式図である。
【００２６】
ターゲット保持冶具１０は、ターゲット８を保持し、測定対象物５０に着脱可能に連結される。ここで、ターゲット８は、後述する測定装置の一部であり、測定光を反射する反射機構を備えている。具体的には、ターゲット８は、一部に切欠きが形成された略球状の部材であり、切欠きに測定光を反射するリフレクタが設置されている。本実施形態の測定対象物５０は、蒸気タービンのリング形状のシールフィンである（以下、測定対象物５０をシールフィン５０ともいう。）。
【００２７】
ターゲット保持冶具１０は、支持部１４と、連結部１６と、連結部１８と、ガイド部２０と、電池フォルダ２２と、発光部２４と、配線２６と、配線２８と、を有する。
【００２８】
支持部１４は、板状の部材であり、ターゲット保持冶具１０の土台となる部材である。支持部１４は、面積が最も大きい面（図１に示すように測定対象物（シールフィン）５０と対向している場合、測定対象物５０と対面している面）に開口１４ａが形成されている。この開口１４ａにターゲット８を内挿することで、ターゲット８はターゲット保持冶具１０に保持される。また、支持部１４は、開口１４ａと繋がり、かつ、支持部１４の側面まで延在する切欠き１４ｂが形成されている。この切欠き１４ｂを設けることで、ターゲット８に測定光が入反射する領域を確保することができる。ユーザにとっても、切欠き１４ｂが形成されていることで、この切欠き１４ｂを介して、ターゲット８と測定対象物５０との相対位置を容易に確認することができる。
【００２９】
支持部１４は、図１に示すように測定対象物（シールフィン）５０と対向している面にガイド部２０が配置され、その反対側の面に、電池フォルダ２２と、発光部２４と、配線２６と、配線２８とが配置されている。また、支持部１４は、測定対象物５０と対向している面と反対側の面に挟まれた面である側面のうち、一対の側面のそれぞれに連結部１６と連結部１８が配置されている。なお、連結部１６と連結部１８が配置されている側面は、切欠き１４ｂが形成されていない側面である。
【００３０】
また、支持部１４は、金属等の導電性の材料で作製されている。支持部１４は、電池フォルダ２２の一方の電極と電気的に繋がっており、かつ、ターゲット８と電気的に繋がっている。さらに、連結部１６と、連結部１８と、配線２６と、配線２８と、他の部材を介して電気的に繋がっている。
【００３１】
連結部１６と連結部１８は、測定対象物５０と連結する機構である。図１に示すように、ターゲット保持冶具１０は、支持部１４の一方の端部に連結部１６が配置され、支持部１４の他方の端部に連結部１８が配置されている。つまり、ターゲット保持冶具１０は、支持部１４の開口１４ａを挟み込む位置に連結部１６と連結部１８とを配置している。連結部１６は、絶縁部３２を介して支持部１４に固定されている。同様に、連結部１８も、絶縁部３４を介して支持部１４に固定されている。連結部１６と支持部１４との固定部分には絶縁部３２が配置され、連結部１８と支持部１４との固定部分には絶縁部３４が配置されることで電気が流れない状態となる。なお、連結部１６と支持部１４の固定部分及び連結部１８と支持部１４の固定部分は、電気が流れない状態を維持しつつ、ネジ等の締結機構で固定されている。
【００３２】
本実施例のターゲット保持冶具１０において、開口１４ａに内挿されたターゲット８は、ガイド部２０と当接して開口１４ａで挟み込まれることにより、開口１４ａ内の所定位置に保持される。このため、ターゲット８は、ガイド部２０により測定対象物と接触する状態で、測定光が入反射できる向きに保持させることができる。
【００３３】
次に、図４を用いて、連結部１６の構成について説明する。連結部１８は、配置位置が異なるのみであるので、説明を省略する。連結部１６は、いわゆる洗濯ばさみと同様の機構であり、挟持部１６ａと、支点１６ｂと、ヒンジピン１６ｃと、バネ１６ｄと、を有する。挟持部１６ａは、支点１６ｂを中心に回動する２つの部材である。支点１６ｂは、連結部１６に連結されており、挟持部１６ａを回動可能な状態で支持する。ヒンジピン１６ｃは、挟持部１６ａの測定対象物５０側とは支点１６ｂを介して反対側の部分に挿入されている。ヒンジピン１６ｃは、図示しない抜け止めピンにより挟持部１６ａから抜けない構成となっている。バネ１６ｄは、ヒンジピン１６ｃに挿入され、かつ、挟持部１６ａの２つの部材の間に配置されている。バネ１６ｄは、挟持部１６ａの２つの部材を開く方向に押す。連結部１６は、挟持部１６ａの測定対象物５０側とは支点１６ｂを介して反対側の部分がバネ１６ｄにより開かれる方向に力が加わることで、挟持部１６ａの測定対象物５０側に形成された溝１６ｅが狭くなる。これにより、連結部１６は、溝１６ｅに測定対象物５０を挟み込むことで、測定対象物５０に連結された状態となる。また、連結部１６はバネ１６ｄが配置されている側の挟持部１６ａを閉じることで、連結部１６を測定対象物５０から離脱させることができる。
【００３４】
連結部１６は、挟持部１６ａの測定対象物５０側の端部に、滑り止めとなる凹凸機構を形成したり、ゴム等の部材を配置したりしてもよい。なお、連結部１６は、測定対象物５０との間で電気を流れる機能が必要であり、かつ、ゴムを設ける場合、一方にゴムを設けないか、導電性のゴムを用いることが好ましい。
【００３５】
上記の本実施例のターゲット保持冶具１０は、連結部１６及び連結部１８の機構を、測定対象物５０を挟み込む機構としたがこれに限定されない。ターゲット保持冶具１０は、連結部１６及び連結部１８を磁石等、吸着により測定対象物５０に連結される機構としてもよい。
【００３６】
ガイド部２０は、図１に示すように、支持部１４の測定対象物（シールフィン）５０と対向している面において、連結部１６及び連結部１８と同一線上の位置に配置されている。ガイド部２０は、この同一線上に沿って延在する２つの部材から構成され、連結部１６及び連結部１８の挟持部に形成された溝と同一線上の位置に直線状の溝２１が形成されている。ターゲット保持冶具１０は、連結部の挟持部に形成された溝とガイド部２０の溝２１で測定対象物５０を挟み込むことができる。このように、ターゲット保持冶具１０を測定対象物５０に挟み込んだ状態では、図５に示すように、ガイド部２０はターゲット８が測定対象物５０側に最も突出した位置またはその近傍で、ターゲット８を測定対象物５０に接触させることができる。なお、ガイド部２０は、フェノール樹脂等の絶縁材料で作成させている。
【００３７】
また、ガイド部２０は、図５及び図６に示すように、溝２１の測定対象物５０側の先端である先端部２０ａ及び先端部２０ｂが、測定対象物５０側に行くほど幅が広く、支持部１４側に行くにしたがって幅が狭くなる傾斜形状となる。これにより、ガイド部２０は、測定対象物５０を溝２１に挿入させやすくなる。
【００３８】
ここで、ガイド部２０は、ガイド部２０を構成する２つの部材が、支持部１４に対して着脱可能となっている。また、ガイド部２０は、溝２１の測定対象物５０が挿入されない領域にスペーサ２０ｃが配置されている。ガイド部２０は、２つの部材を支持部１４に対して装着する際にこの２つの部材の間にスペーサ２０ｃを配置することで、溝２１の幅をスペーサ２０ｃの幅とすることができる。これにより、ガイド部２０は、溝２１の幅を所定の幅とすることができる。また、ガイド部２０は、スペーサ２０ｃの厚みを変えることで、溝２１の幅を変えることができる。なお、溝２１は、間隔が測定対象物５０の厚みよりも広くなる。
【００３９】
電池フォルダ２２は、支持部１４に設置され、図示しない電池が取り付けられている。電池フォルダ２２は、電気的に一方の極が支持部１４に接続され、他方の極が配線２６に接続されている。発光部２４は、支持部１４に設置されている。発光部２４は、発光ダイオード等であり、電流が流れることで発光する素子である。配線２６は、電池フォルダ２２の他方の極と発光部２４とを接続している。配線２８は、発光部２４と連結部１８とを接続している。
【００４０】
ここで、ターゲット保持冶具１０は、ターゲット８と、支持部１４と、連結部１８と、電池フォルダ２２と、配線２６と、配線部２８とで、検出部３０となる。この検出部３０は、発光部２４と、測定対象物５０と、を含めて１つの直列な回路を形成する。具体的には、図７に示すように、検出部３０は、ターゲット８と、支持部１４と、連結部１８と、電池フォルダ２２と、配線２６と、配線２８とが、ターゲット８、支持部１４、電池フォルダ２２、配線２６、発光部２４、配線２８、連結部１８の順で直列に繋がった回路となる。これにより、検出部３０は、連結部１８と測定対象物５０と接触させ、かつ、ターゲット８と測定対象物５０とが接触されると、連結部１８と測定対象物５０とターゲット８が直列でつながり、１つの閉じられた回路となる。これにより、電池が取り付けられた電池フォルダ２２から電流が流れる状態となり、発光部２４に電流が流れることで、発光部２４から光が出力される。また、検出部３０は、連結部１８とターゲット８のいずれかが測定対象物５０と非接触となると電気が流れないため、発光部２４が発光しない。
【００４１】
ターゲット保持冶具１０は、以上のような構成であり、ターゲット８を支持部１４で支持し、測定対象物５０に連結部１６と、連結部１８と、ガイド部２０とを挟み込むことで測定対象物５０と連結することができる。これにより、ターゲット保持冶具１０は、ガイド部２０で測定対象物５０の位置を規制できる。具体的には、ガイド部２０が測定対象物５０を挟み込むことで、ターゲット５０が測定対象物５０に接触する位置を規制し、かつ、ターゲット５０の測定対象物５０の端面の短辺方向への移動を規制する。このため、測定対象物５０とターゲット８との接触位置を所定の範囲とすることができ、測定対象物５０とターゲット８との接触位置の位置ずれを低減することができる。したがって、ユーザは、本実施例のターゲット保持冶具１０を使用することにより、ターゲット８を用いた測定を高い精度で行うことが可能となる。
【００４２】
また、ターゲット保持冶具１０は、２つの連結部１６及び連結部１８で支持部１４を挟み、かつ、ガイド部２０の溝２１の延在方向を連結部１６と連結部１８とを結んだ線上に重ねることで、連結部１６及び連結部１８で連結した測定対象物５０を溝２１に案内しやすくすることができる。これにより、測定対象物５０とターゲット８とをより接触させやすくすることができる。また、ガイド部２０の溝２１の延在方向を連結部１６と連結部１８とを結んだ線上に重ねることで、溝２１の延在方向に直交する方向のおける測定対象物５０とターゲット８との位置ずれを低減することができる。
【００４３】
また、ターゲット保持冶具１０は、検出部３０によって、測定対象物５０にターゲット８が確実に接触したかを判定することができる。これにより、測定対象物５０とターゲット８とが接触していない状態で測定を行うことを抑制でき、ターゲット８を用いた測定を高い精度で行うことが可能となる。また、ターゲット保持冶具１０は、検出部３０を、ターゲット８及び連結部１８が測定対象物５０に接触したら電流が流れる回路とすることで、ユーザが測定対象物５０にターゲット保持冶具１０を装着する動作をしているだけ、ターゲット８と測定対象物５０とが接触しているかを検出することができる。
【００４４】
また、発光部２４を設け、検出部３０でターゲット８と測定対象物５０との接触を検出すると電流が流れ、発光部２４が発光するので、ユーザに視覚的にターゲット８と測定対象物５０とが接触したことを認識させることができる。
【００４５】
本実施形態のターゲット保持冶具１０は、発光部２４を発光させることで、ターゲット８と測定対象物５０とが接触したことをユーザに報知する方法は、発光に限定されない。ターゲット保持冶具１０は、報知する方法として、ユーザの五感に伝達する各種機構を用いることができ、例えば発光部２４に換えて音を出す音声出力部を設けてもよい。
【００４６】
次に、図８から図１０を用いて、本実施例のターゲット保持冶具を備える測定装置について説明する。図８は、ターゲット保持冶具を備える測定装置の概略構成を示す模式図である。図９は、測定対象物の概略構成を示す斜視図である。図１０は、測定対象物とターゲット保持冶具との測定時の位置関係を示す模式図である。
【００４７】
図８に示すように、ターゲット保持冶具１０を備える測定装置８０は、ターゲット８と、ターゲット保持冶具１０と、測定装置本体８２と、を有する。上述したようにターゲット８は、ターゲット保持冶具１０に保持され、測定時はターゲット保持冶具１０によって測定対象物（シールフィン）５０に接触している。
【００４８】
測定装置本体８２は、光源８２ａと、受光部８２ｂと、処理部８２ｃと、を有する。また、測定装置本体８２には、測定光をターゲット８に向けて照射し、ターゲット８で反射した光を測定装置本体８２に案内するヘッド８４及び光学系８６が設けられている。
【００４９】
光源８２ａは、測定光を出力する。なお、光源８２ａは、測定光として、例えば、所定の波長のレーザ光を出力する。受光部８２ｂは、到達した光を検出する受光素子である。受光部８２ｂは、測定光の波長の光を検出する。処理部８２ｃは、測定装置８０の各部の動作を制御する。また、処理部８２ｃは、受光部８２ｂの検出結果、さらには光源８２ａから出力した測定光の情報を解析することで、ターゲット８までの距離を測定し、ターゲット８の形状で生じる差分を演算処理で除去することで、測定対象物５０までの距離を測定する。
【００５０】
ヘッド８４は、光源８２ａから出力された測定光が通過する経路に配置されており、測定光が照射される方向を調整する。光学系８６は、光源８２ａとヘッド８４との間及び受光部８２ｂとヘッド８４との間に配置されており、光源８２ａから出力された光をヘッド８４に向けて出力し、ヘッド８４に入射した光を受光部８２ｂに案内する。
【００５１】
測定装置８０は、ターゲット保持冶具１０を測定対象物５０の測定位置に設置する。ここで、本実施形態の測定対象物（シールフィン）５０は、図９に示すように、シール取付環１００の内側に配置されたシールリング１０２に設置されている。シールフィン５０は、シールリング１０２の径方向内側に突出している。また、シールフィン５０は、シールリング１０２に複数設けられている。また、蒸気タービンは、シールリング１０２を複数備えているので、シールリング１０２の数に対応した数のシールフィン５０が配置されている。測定装置８０は、図１０に示すようにリング状に配置されたシールフィン５０の円周方向にターゲット８を保持したターゲット保持冶具１０を設置する。
【００５２】
測定装置８０は、測定装置本体８２からヘッド８４を介してターゲット８に向けて測定光を出力し、ヘッド８４を介してターゲット８で反射された光を測定装置本体８２で受光し、受光した結果を解析することで、測定対象物５０までの距離を測定することができる。また、ターゲット保持冶具１０をシールフィン５０上において移動させ、シールフィン５０上の複数の位置の測定を行うことで、シールフィン５０の径を測定することができる。
【００５３】
また、本実施形態のように測定対象物５０をシールフィンとした場合、多数の位置についての測定が必要となるが、着脱可能なターゲット保持冶具１０を用いて、ターゲット８を測定対象物５０に設置し移動させながら計測を行うことで、少ないターゲット８で計測を行うことができる。また、ターゲット保持冶具１０は、ガイド部２０を設けていることで、装着時に高い精度でターゲット８を測定対象物５０に接触させることができる。さらに、ターゲット保持冶具１０は、検出部３０及び発光部２４によって、ターゲット８が測定対象物５０に接触したことを報知できるため、ユーザによるターゲット８の設置作業を簡単にすることができる。
【符号の説明】
【００５４】
８  ターゲット
１０  ターゲット保持冶具
１４  支持部
１４ａ  開口
１４ｂ  切欠き
１６、１８  連結部
１６ａ  挟持部
１６ｂ  支点
１６ｃ  ヒンジピン
１６ｄ  バネ
２０  ガイド部
２０ａ、２０ｂ  先端部
２０ｃ  スペーサ
２１  溝
２２  電池フォルダ
２４  発光部
２６、２８  配線
３２、３４  絶縁部
５０  シールフィン（測定対象物）
８０  測定装置
８２  測定装置本体
８２ａ  光源
８２ｂ  受光部
８２ｃ  処理部
８４  ヘッド
８６  光学系
１００  シール取付環
１０２  シールリング
【図１】
0005627719.tif 000002
【図２】
0005627719.tif 000003
【図３】
0005627719.tif 000004
【図４】
0005627719.tif 000005
【図５】
0005627719.tif 000006
【図６】
0005627719.tif 000007
【図７】
0005627719.tif 000008
【図８】
0005627719.tif 000009
【図９】
0005627719.tif 000010
【図１０】
0005627719.tif 000011